(57)【要約】      （修正有）【課題】シャフトの長さ調節機能を簡単な構造で実現したゴルフクラブを提供する。【解決手段】シャフトが下端にヘッドが接合された下シャフト部２１と上端にグリップ３が装着された上シャフト部を有し、上シャフト部を下シャフト部に好みの長さまで差込み、固定して使用する。上シャフト部の下端には斜臼部２２２があって、その中央にはシャフト軸方向に螺子穴が切られている。上シャフト主部２２１の内部にはシャフト軸と垂直な上シャフト部壁があって、その中央には穴があけられている。上シャフト部壁の穴から斜臼部壁の螺子穴に通された螺子２２３によって両者は固定されているが、斜臼部と上シャフト主部の接する部分は、シャフト軸線及びこれに垂直な平面のいずれからも傾いた面となっており、前記螺子を締め付けると斜臼部と上シャフト主部の中心軸がずれ、斜臼部２２２と上シャフト主部２２１の側面がそれぞれ逆方向に下シャフト部２１の内面に押し付け、上シャフト部を下シャフト部２１に固定する。【選択図】図５
0003178522.tif 000002
【実用新案登録請求の範囲】
【請求項１】
シャフトの長さを調節可能なゴルフクラブであって、
シャフトは、下端にヘッドが接合された下シャフト部と上端にグリップが装着された上シャフト部を有し、
上シャフト部が下シャフト部の内部に摺動可能に差し込まれており、
上シャフト部は上シャフト部の下端付近を構成する斜臼部と斜臼部の上端からシャフトの上端までを構成する上シャフト主部を有し、
斜臼部には、斜臼部壁があって、その中央にはシャフト軸方向に螺子穴が切られ、
上シャフト主部の内部には、シャフト軸と垂直な上シャフト部壁があって、その中央には穴があけられ、
斜臼部と上シャフト部は、上シャフト部壁の穴から斜臼部壁の螺子穴に通された螺子で固定されることによって一体となって上シャフト部を構成するが、
斜臼部と上シャフト主部の接する部分は、シャフト軸線及びこれに垂直な平面のいずれからも傾いた面となっており、
前記螺子を締め付けると斜臼部と上シャフト主部の中心軸がずれ、斜臼部と上シャフト主部の側面がそれぞれ逆方向に下シャフト部の内面に押し付けられることによって上シャフト部を下シャフト部に固定されていることを特徴とするゴルフクラブ。
【請求項２】
シャフトの長さを調節可能なゴルフクラブであって、
シャフトは、下端にヘッドが接合された下シャフト部と上端にグリップが装着された上シャフト部を有し、
上シャフト部が下シャフト部の内部に摺動可能に差し込まれており、
上シャフト部は上シャフト部の下端付近を構成する斜臼部と斜臼部の上端からシャフトの上端までを構成する上シャフト主部を有し、
斜臼部には、斜臼部壁があって、その中央にはシャフト軸方向に螺子穴が切られ、
上シャフト主部の内部には、シャフト軸と垂直な上シャフト部壁があって、その中央には穴があけられ、
斜臼部と上シャフト部は、上シャフト部壁の穴から斜臼部壁の螺子穴に通された螺子で固定されることによって一体となって上シャフト部を構成するが、
斜臼部と上シャフト主部の接する部分は、シャフト軸線及びこれに垂直な平面のいずれからも傾いた面となっており、
前記螺子を締め付けると斜臼部と上シャフト主部の中心軸がずれ、斜臼部と上シャフト主部の側面がそれぞれ逆方向に下シャフト部の内面に押し付けられることによって上シャフト部を下シャフト部に固定されていることを特徴とするパター。
【請求項３】
上シャフト部が差し込まれる下シャフト部の上部は内径が一定であることを特徴とする請求項１又は２に記載のゴルフクラブ。
【考案の詳細な説明】
【技術分野】
【０００１】
本考案は長さを調節することが可能なゴルフクラブに係る。
【背景技術】
【０００２】
ゴルフクラブにおいて、その長さは機能性等を左右する重要な仕様項目であることから、長さを調節可能とする方法は古くより多数提案されてきた（例えば特許文献１乃至３）が、固定の強度や安定性、製造コスト、美観、更にはゴルフルールの規制などの問題により、広く実用化されたものは無い。
【先行技術文献】
【特許文献】
【０００３】
【特許文献１】特開平９−２０１４３５号公報
【特許文献２】登録実用新案第３０４９４７１号公報
【特許文献３】特開２０１１−７８７６８号公報
【考案の概要】
【考案が解決しようとする課題】
【０００４】
本考案のゴルフクラブは、単純な構造でゴルフクラブのシャフト部の長さを可変とし、ゴルフクラブに長さの調整機能を加えるものである。
【課題を解決するための手段】
【０００５】
本考案のゴルフクラブは、
シャフトの長さを調節可能なゴルフクラブであって、
シャフトは、下端にヘッドが接合された下シャフト部と上端にグリップが装着された上シャフト部を有し、
上シャフト部が下シャフト部の内部に摺動可能に差し込まれており、
上シャフト部は上シャフト部の下端付近を構成する斜臼部と斜臼部の上端からシャフトの上端までを構成する上シャフト主部を有し、
斜臼部には、斜臼部壁があって、その中央にはシャフト軸方向に螺子穴が切られ、
上シャフト主部の内部には、シャフト軸と垂直な上シャフト部壁があって、その中央には穴があけられ、
斜臼部と上シャフト部は、上シャフト部壁の穴から斜臼部壁の螺子穴に通された螺子で固定されることによって一体となって上シャフト部を構成するが、
斜臼部と上シャフト主部の接する部分は、シャフト軸線及びこれに垂直な平面のいずれからも傾いた面となっており、
前記螺子を締め付けると斜臼部と上シャフト主部の中心軸がずれ、斜臼部と上シャフト主部の側面がそれぞれ逆方向に下シャフト部の内面に押し付けられることによって上シャフト部を下シャフト部に固定されていることを特徴とするゴルフクラブ
であって、特に要求される長さの範囲が広いパターに好適である。
【０００６】
また、上記のゴルフクラブにおいては、
上シャフト部が差し込まれる下シャフト部の上部は内径が一定である
のが、より好適である。
【０００７】
上記ゴルフクラブは、シャフトが下シャフト部と上シャフト部に分離可能であり、これを差し込む長さを変えることでシャフトの長さを変更できる。下シャフト部と上シャフト部の固定方法が本考案の特徴であって、上シャフト部の上端から螺子を締めると上シャフト部を構成する上シャフト主部と斜臼部がずれることで、これらが下シャフト部を内側から押し広げる方向に力を加えることとなり、この押し付け力による摩擦によって上シャフト部は下シャフト部に固定されるものである。
【考案の効果】
【０００８】
本考案のゴルフクラブは、上記のように非常に単純な構造で長さ調節機能を実現するため、シャフトの重量増加を最小限に抑えることができる。また、機構がシャフトの内部に納まっているのでゴルフクラブの美観を損なうことも無い。それでありながら、強固に固定されるため強度や安全面での問題が小さく、万が一破損した場合でも部品の交換、修理が容易である。
【図面の簡単な説明】
【０００９】
【図１】実施例１に係るゴルフクラブの全体図
【図２】実施例１に係るゴルフクラブの上シャフト部の構造示す図
【図３】図２の上シャフト部のうち、上シャフト主部の下端と斜臼部の拡大斜視図
【図４】実施例１に係るゴルフクラブの上シャフト部の構造示す図
【図５】実施例１に係るゴルフクラブのシャフトの一部とグリップを示す図
【図６】実施例２に係るゴルフクラブのシャフトの一部とグリップを示す図
【図７】実施例３に係るゴルフクラブのシャフトの一部とグリップを示す図
【図８】実施例４に係るゴルフクラブのシャフトの一部とグリップを示す図
【図９】設定した長さを読み取るための目盛りの一例を示す図
【考案を実施するための形態】
【実施例１】
【００１０】
図１〜図５は本件考案の実施例１としてゴルフクラブの一種であるパターを示すものである。図１に示すとおり、シャフト２の下端には打撃部であるヘッド１が、上端にはグリップ３が取り付けられているが、シャフト２は下シャフト部２１に上シャフト部２２が差し込まれた構造を有している。
【００１１】
図２は下シャフト部２１に差し込まれる上シャフト部２２の切断図である。上シャフト部２２は、その大部分を構成する上シャフト主部２２１と、下端を構成する斜臼部２２２と、これらをつなぐ螺子２２３を有する。上シャフト主部２２１には上シャフト主部壁２２１１が設けられ、その中央には穴２２１２がある。螺子２２３は、この穴２２１２を通して上シャフト主部内に差し込まれるが、図からわかるとおり、この穴２２１２には螺子は切られていない。
【００１２】
斜臼部２２２は、斜臼部壁２２２１を有し、その中央にはシャフト軸方向に螺子穴２２２２が設けられている。上シャフト主部２２１の下端から出た螺子２２３の先端が、この斜臼部の螺子穴２２２２にねじ込まれており、この螺子２２３を締めると上シャフト主部２２１と斜臼部２２２は強固に一体化されるが、図３に示すように上シャフト主部の下端面２２１３と斜臼部の上端面２２２３はシャフト軸線及びこれに垂直な平面のいずれからも傾いた斜めの面で接しているから、螺子２２３を締めると図４に示すように斜臼部２２２は矢印方向へずれることとなる。このずれを利用して上シャフト部２２を下シャフト部２１に固定するのが本件考案の特徴であり、これを図５に示す。
【００１３】
図５は、図２に示した上シャフト部を下シャフト部２１に差し込んで固定し、実際にゴルフクラブとして使用される状態を示すものであって、上シャフト部の上端側にはグリップ３が装着されている。図４と同様に螺子２２３を締めたことによって斜臼部２２２がずれ、これによって上シャフト主部２２１の下方部と斜臼部２２２がそれぞれ逆公報に下シャフト部の内面２１２に押し付けられるが、この押し付け力により摩擦が発生し、上シャフト部２２は下シャフト部２１に固定される。螺子２２３を緩めれば押し付け力の低下に伴い摩擦力も小さくなるから、上シャフト部は摺動可能となり、ゴルフクラブの長さを調節することが可能となる。
【００１４】
上シャフト部２２が差し込まれる範囲の下シャフト部２１の上部については、内径が一定であることがより望ましい。上シャフト部とのクリアランスが一定となるため、長さを調整、即ち固定位置を変更しても、斜臼部２２２のずれ量が一定となり、固定の安定が期待できるからである。
【実施例２】
【００１５】
図６は実施例２として、グリップ３を二箇所有するパターを示すものである。実施例１は図１や図５に示すとおり、グリップ３を上シャフト主部２２１にて構成されるシャフト２の上端側にのみ装着したが、実施例２は図６に示すとおり、上シャフト主部２２１にて構成されるシャフト２の上端側に上グリップ３１を装着し、下シャフト部２１の上部に下グリップ３２を装着する。
【実施例３】
【００１６】
図７は実施例３として、軽量化を図った例である。実施例１乃至２は上シャフト主部壁２２１１が上シャフト部２２の上端にあったが、中ほどにしたものであり、これによって螺子２２３が短くてすむようになる。上シャフト主部壁２２１１を下にすればするほど螺子は短く、軽くできるが、螺子の頭もそれだけ上シャフト部２２の上端から奥へ入ってしまうので調節がしにくくなるデメリットもあり、適宜必要に応じて選択すべきである。
【００１７】
また本実施例は、斜臼部２２２の上部に中空部を設けて、これを軽量化している。本例では斜臼部壁２２２１を斜薄部２２２の下端としているが、逆に上端としたり、中間部に設けることなども可能である。
【実施例４】
【００１８】
実施例３のように上シャフト主部壁２２１１の位置を上シャフト主部２２１の中間などに位置させる場合、上シャフト主部を一体的に加工するのはやや難しいので、これを２部品で構成するのが図８に示す実施例４である。上シャフト主部２２１の下端から上シャフト主部壁２２１１までを構成する上シャフトの下部２２１５と、その上にはめ込まれ、グリップ３を装着される上シャフトの上部２２１６を別部品として、これらを接着等により接合して上シャフト主部２２１を構成するものである。もちろん、実施例２のように、下シャフト部２１の上部に下グリップ３２を装着することも好適である。
【００１９】
全ての実施例において、シャフト２の断面を円として記述したが、必ずしも円断面である必要は無く、楕円断面、四角形などの多角形断面も選択可能である。また、下シャフト部２１の上部は上シャフト部２２が差し込まれる都合上、中空でなければならないが、その内径もしくは中空部の断面形状は一定であることがより望ましい。どの位置で上シャフト部２２を固定する場合でも、下シャフト部２１の内部と上シャフト部２２の外部の間隔が一定となるために安定した固定が得られることと、上シャフト部２２が下シャフト部２１に対して斜めに固定されることが避けられるためである。
【００２０】
また、全ての実施例において、螺子２２３の下端に螺子２２３を緩めすぎた場合に斜臼部２２２が脱落するのを防止する手段を設けるのも好適である。図８には、斜臼部脱落防止手段として螺子２２３の下端に袋ナットを設けた例を記載したが、他の種類のナットでも良い。ダブルナットとしたり、接着を併用するなどしてナット自体の脱落を防止するのも好適である。もちろん、斜臼部脱落防止手段はナットに限られるものではなく、様々な手段を採用可能である。
【００２１】
更に、全ての実施例において、図９のように上シャフト主部２２１に目盛り２２１４を入れるのも好適である。何度か長さを変えた後に、また最初の長さに戻すことなどがやりやすいからである。目盛りには、その位置で固定した場合のクラブ長さの数値を表示することも可能である。また、長くする場合の限度を表示するのも好適である。本考案の構造上、上シャフト主部２２１を、ある程度以上、下シャフト部２１に差し込まれていないと十分な固定強度が出ないためである。
【産業上の利用可能性】
【００２２】
本考案は、プレーヤーの要求に応じて自由に長さを変更できるゴルフクラブに係り、製造販売者には商品の種類が減ることから在庫負担の削減をもたらし、プレーヤーには自分に合うものを探して複数のゴルフクラブを購入することとなるリスクの低下をもたらし、ひいてはゴルフ産業の発展に貢献するものである。
【符号の説明】
【００２３】
１、ヘッド
２、シャフト
２１、下シャフト部
２１１、下シャフト部の中空部
２１２、下シャフト部の内面
２２、上シャフト部
２２１、上シャフト主部
２２１１、上シャフト主部壁
２２１２、上シャフト主部壁の穴
２２１３、上シャフト主部の下端面
２２１４、上シャフト主部の目盛り
２２１５、上シャフト主部の下部
２２１６、上シャフト主部の上部
２２２、斜臼部
２２２１、斜臼部壁
２２２２、斜臼部の螺子穴
２２２３、斜臼部の上端面
２２３、螺子
２３、シャフト軸線
３、グリップ
３１、上グリップ
３２、下グリップ
【図１】
0003178522.tif 000003
【図２】
0003178522.tif 000004
【図３】
0003178522.tif 000005
【図４】
0003178522.tif 000006
【図５】
0003178522.tif 000007
【図６】
0003178522.tif 000008
【図７】
0003178522.tif 000009
【図８】
0003178522.tif 000010
【図９】
0003178522.tif 000011